(57)【要約】実物のカーボンファイバーシートと同等以上の質感が得られる装飾シートを提供する。装飾シート１０は、レンチキュラレンズシート１１と、画像形成層１３とを備える。レンチキュラレンズシート１１は、複数のシリンドリカルレンズ１５により構成される。画像形成層１３は、シリンドリカルレンズ１５に対応する単位領域内に、第１及び第２の細分化領域Ｓ１，Ｓ２と、中間領域ＳＭとを有する。装飾シート１０の観察方向を変えることで、第１の絵柄、グラデーション絵柄、第２の絵柄が順に観察される。第１の絵柄と第２の絵柄とは、互いの濃度が反転している。第１及び第２の絵柄、グラデーション絵柄は、帯状に細分化された状態で、第１の細分化領域Ｓ１、第２の細分化領域Ｓ２、中間領域ＳＭにそれぞれ画像形成されている。
2016174917.tif 000002
【特許請求の範囲】
【請求項１】
凸形状を有するシリンドリカルレンズが複数配列され、前記凸形状とは反対側に平坦面を有するレンチキュラレンズシートと、
前記平坦面側に設けられ、互いに濃度が反転した第１の絵柄と第２の絵柄とを有する画像形成層であって、前記レンチキュラレンズシートを介して観察する観察方向を変えることによって前記第１の絵柄と前記第２の絵柄とが切り替わる画像形成層とを備え、
前記画像形成層は、前記シリンドリカルレンズに対応する単位領域内に、帯状に細分化された前記第１及び第２の絵柄を有する第１及び第２の細分化領域と、前記第１及び第２の細分化領域の間に形成された帯状の中間領域とを有する装飾シート。
【請求項２】
前記画像形成層は、前記中間領域によって構成され、前記シリンドリカルレンズの配列方向に濃度が変化したグラデーション絵柄を有する請求項１記載の装飾シート。
【請求項３】
前記第１及び第２の絵柄と、前記グラデーション絵柄とは、複数の形状を組み合わせたパターンにより構成された絵柄である請求項２記載の装飾シート。
【請求項４】
前記形状は、四角形である請求項３記載の装飾シート。
【請求項５】
前記パターンは、綾織パターンである請求項４項記載の装飾シート。
【請求項６】
前記シリンドリカルレンズの配列方向において、前記中間領域の長さが、前記第１の細分化領域の長さ及び前記第２の細分化領域の長さよりも短い請求項１ないし５いずれか１項記載の装飾シート。
【請求項７】
前記レンチキュラレンズシートと前記画像形成層とは、一体に湾曲可能である請求項１ないし６いずれか１項記載の装飾シート。
【請求項８】
請求項１ないし７いずれか１項記載の装飾シートが貼り付けられたことを特徴とする自動車の内装品。
【発明の詳細な説明】
【技術分野】
【０００１】
本発明は、自動車等の内装品や外装品に貼り付けられる装飾シートに関する。
【背景技術】
【０００２】
自動車等の内装品や外装品に、カーボンファイバーシートを貼り付けて装飾を施すことが行われている（例えば、特許文献１参照）。しかし、カーボンファイバーシートは、カーボン繊維を綾織り等の編み方で編むことによってシート状としたものであり、非常に高価である。このため、カーボンファイバーシートの代替品としてカーボン調シートが広く用いられている。このカーボン調シートは、透明樹脂シートの一方の面に、カーボン繊維のパターンを模した絵柄を印刷したものである(例えば、特許文献２参照)。【０００３】
一方、透明樹脂シートの一方の面に画像形成層を設けたシート体としては、多数のシリンドリカルレンズが並列配置されたレンチキュラレンズシートを用いたものが知られている。例えば、特許文献３記載のシート体では、帯状の細分化領域を、各シリンドリカルレンズに対応する単位領域内に多数並べて画像形成層を形成している。それにより、ユーザーがシリンドリカルレンズを介して画像形成層を観察する際に、観察する角度を変えることで視認される画像が切り替わる。
【先行技術文献】
【特許文献】
【０００４】
【特許文献１】特許３８４７４０６号公報
【特許文献２】特開２００１−２４６６６４号公報
【特許文献３】特開平１１−２１２０２４号公報
【発明の概要】
【発明が解決しようとする課題】
【０００５】
カーボンファイバーシートは、カーボン繊維が編まれたものであり、微細な立体構造を有するため、観察方向を変えることにより模様の明暗が変化し、立体感が生じる。これに対して、カーボン調シートは、透明樹脂シートに絵柄を印刷したものであるため、観察方向を変えても模様の明暗は変化せず、立体感は生じない。このため、カーボン調シートでは、カーボン繊維の質感が得られず、装飾性に劣るため、カーボンファイバーシートの廉価版として位置づけられている。【０００６】
そこで、カーボンファイバーシートと同等以上の質感が得られる装飾シートを、レンチキュラレンズシートを用いて作成することが望まれている。【０００７】
本発明は、実物のカーボンファイバーシートと同等以上の質感が得られる装飾シートを提供することを目的とする。
【課題を解決するための手段】
【０００８】
本発明の装飾シートは、レンチキュラレンズシートと、画像形成層とを備える。レンチキュラレンズシートは、凸形状を有するシリンドリカルレンズが複数配列され、凸形状とは反対側に平坦面を有する。画像形成層は、平坦面側に設けられ、互いに濃度が反転した第１の絵柄と第２の絵柄とを有する画像形成層であって、レンチキュラレンズシートを介して観察する観察方向を変えることによって第１の絵柄と第２の絵柄とが切り替わる。画像形成層は、シリンドリカルレンズに対応する単位領域内に、帯状に細分化された第１及び第２の絵柄を有する第１及び第２の細分化領域と、第１及び第２の細分化領域の間に形成された帯状の中間領域とを有する。【０００９】
画像形成層は、シリンドリカルレンズの配列方向に濃度が変化したグラデーション絵柄を有する中間領域を有することが好ましい。【００１０】
第１及び第２の絵柄と、グラデーション絵柄とは、複数の形状を組み合わせたパターンにより構成された絵柄であることが好ましい。また、形状は、四角形であることが好ましい。パターンは、綾織パターンであることが好ましい。【００１１】
シリンドリカルレンズの配列方向において、中間領域の長さが、第１の細分化領域の長さ及び第２の細分化領域の長さよりも短いことが好ましい。【００１２】
レンチキュラレンズシートと画像形成層とは、一体に湾曲可能であることが好ましい。自動車の内装品に貼り付けられることが好ましい。
【発明の効果】
【００１３】
本発明によれば、レンチキュラレンズシートを介して画像形成層を観察する観察方向を変えることで第１の絵柄と第２の絵柄とが切り替わって観察できる。また、本発明の装飾シートは、シリンドリカルレンズに対応する単位領域内に、帯状に細分化された第１の絵柄を有する第１の細分化領域と、帯状に細分化された第２の絵柄を有する第２の細分化領域と、を有し、更に第１及び第２の細分化領域の間に帯状の中間領域とを有するので、実物のカーボンファイバーシートと同等以上の質感が得られる。
【図面の簡単な説明】
【００１４】
【図１】本発明の装飾シートの構成を示す斜視図である。
【図２】装飾シートをシリンドリカルレンズの配列方向に沿って切断した要部横断面図である。
【図３】装飾シートをシリンドリカルレンズを介して観察した場合に観察される画像を説明する説明図である。
【図４】画像形成層に形成された画像を説明する平面図である。
【図５】図４のＶ−Ｖ範囲を拡大した平面図である。
【図６】図５に示す単位領域Ｕ１〜Ｕ５の階調を示すグラフである。
【図７】平織のパターンを適用した装飾シートをシリンドリカルレンズを介して観察した場合に観察される画像を説明する説明図である。
【図８】装飾シートを自動車の内装品に貼り付けた例を示す斜視図である。
【図９】装飾シートを湾曲させた状態を示す断面図である。
【図１０】装飾シートを照明装置に適用した例を示す斜視図である。
【発明を実施するための形態】
【００１５】
［第１実施形態］
図１に示すように、装飾シート１０は、レンチキュラレンズシート１１と、画像形成層１３が形成された画像形成媒体１２とを備える。画像形成媒体１２は、透明な樹脂シートである。
【００１６】
レンチキュラレンズシート１１は、複数のシリンドリカルレンズ１５により構成されている。各シリンドリカルレンズ１５は、部分円柱形の凸形状１５Ａを有し、この凸形状１５Ａとは反対側は平坦状である。各シリンドリカルレンズ１５は、Ｙ方向に延伸しており、隣接するシリンドリカルレンズ１５と平行に配列されている。すなわち、シリンドリカルレンズ１５は、Ｙ方向と直交するＸ方向に一定のピッチで配置されている。レンチキュラレンズシート１１は、凸形状１５Ａとは反対側に平坦面１１Ａを有する。
【００１７】
図２に示すように、装飾シート１０は、レンチキュラレンズシート１１の凸形状１５Ａを有する側から画像形成層１３が観察される。シリンドリカルレンズ１５の凸形状１５Ａは、その焦点が画像形成層１３に位置するように曲率が設定されている。
【００１８】
レンチキュラレンズシート１１の材料としては、ＰＥＴ（ポリエチレンテレフタレート）、ＰＰ（ポリプロピレン）、ＰＥＴＧ（グリコール変性ポリエチレンテレフタレート）、ポリカーボネート、アクリル、アクリレート系樹脂などの透明な樹脂材料が用いられる。
【００１９】
画像形成層１３は、レンチキュラレンズシート１１の平坦面１１Ａ側に設けられている。画像形成層１３は、透明な樹脂シートである画像形成媒体１２に、画像を印刷または転写することにより形成されている。画像形成層１３の材料は、画像形成媒体１２に密着可能な材料であれば特に限定されず、公知の塗料等が用いられる。
【００２０】
また、レンチキュラレンズシート１１と画像形成媒体１２とは、接着又は粘着などの方法を用いて接合されている。レンチキュラレンズシート１１と画像形成媒体１２とを接合させる接合剤（接着剤や粘着剤）としては、レンチキュラレンズシート１１を介して画像形成層１３が観察可能な透明性を有する材料が用いられる。また、レンチキュラレンズシート１１と画像形成媒体１２が一体となった装飾シートは、可撓性を有することが好ましい。
【００２１】
画像形成層１３は、第１及び第２の細分化領域Ｓ１，Ｓ２と、中間領域ＳＭとにより構成されている。第１及び第２の細分化領域Ｓ１，Ｓ２と中間領域ＳＭとは、シリンドリカルレンズ１５に対応する単位領域Ｕ（図４及び図５参照）内に１組ずつ設けられており、Ｙ方向に延伸している。第１の細分化領域Ｓ１は単位領域Ｕ内の一方側領域（例えば、左側領域）に配置され、第２の細分化領域Ｓ２は単位領域Ｕ内の他方側領域（例えば、右側領域）に配置されている。中間領域ＳＭは、第１の細分化領域Ｓ１と第２の細分化領域Ｓ２との間の中央領域に配置されている。第１及び第２の細分化領域Ｓ１，Ｓ２は、シリンドリカルレンズ１５の光軸に対して対称となる位置に形成されている。
【００２２】
装飾シート１０を、画像形成層１３に対して直交する直交方向（図２に示すＤＶ）から右側に傾斜した右側傾斜方向（図２に示すＤＡ）から画像形成層１３を観察する場合、第１の細分化領域Ｓ１のみが観察される。また、装飾シート１０を、直交方向ＤＶから左側に傾斜した左側傾斜方向（図２に示すＤＢ）から画像形成層１３を観察する場合、第２の細分化領域Ｓ２のみが観察される。そして、装飾シート１０を、直交方向ＤＶから画像形成層１３を観察する場合、中間領域ＳＭのみが観察される。
【００２３】
第１の細分化領域Ｓ１には、図３（Ａ）に示す第１の絵柄Ｐ１が帯状に細分化され画像形成されている。第２の細分化領域Ｓ２には、図３（Ｃ）に示す第２の絵柄Ｐ２が帯状に細分化され画像形成されている。中間領域ＳＭには、図３（Ｂ）に示すグラデーション絵柄ＰＧが帯状に細分化され画像形成されている。具体的には、第１の絵柄Ｐ１、第２の絵柄Ｐ２、及びグラデーション絵柄ＰＧは、図４に示すように、帯状に細分化された状態で、第１の細分化領域Ｓ１、第２の細分化領域Ｓ２、及び中間領域ＳＭにそれぞれ画像形成されている。
【００２４】
したがって、装飾シート１０は、レンチキュラレンズシート１１を介して画像形成層を観察する観察方向を、右側傾斜方向ＤＡ、直交方向ＤＶ、左側傾斜方向ＤＢと順にＸ方向に変化させることによって、第１の絵柄Ｐ１、グラデーション絵柄ＰＧ、第２の絵柄Ｐ２が順に観察される。
【００２５】
第１及び第２の絵柄Ｐ１、Ｐ２は、異なる複数の形状を組み合わせたパターンにより形成されている。なお、ここでは、方向を回転させることにより一致する形状同士も異なる形状という。
【００２６】
本実施形態では、第１及び第２の絵柄Ｐ１、Ｐ２は、カーボン繊維を綾織した場合に生じる綾織パターンを模したものである。綾織とは、カーボン繊維の縦方向の列と横方向の列とを、それぞれ２列飛びで交差させる織り方である。綾織パターンでは、図３に示すように、縦長の（すなわち、Ｙ方向の辺長が長い）第１長方形Ｒ１がＸ方向或いはＹ方向に対して斜め４５°の方向に並んだ第１パターンと、横長の（すなわち、Ｘ方向の辺長が長い）第２長方形Ｒ２が斜め４５°の方向に並んだ第２パターンとが交互に繰り返される。すなわち、第１及び第２の絵柄Ｐ１、Ｐ２は、第１長方形Ｒ１と第２長方形Ｒ２とによる構成された第１、第２パターンの組み合わせである。
【００２７】
グラデーション絵柄ＰＧも同様に、第１長方形Ｒ１が斜め４５°の方向に並んだ第１パターンと、第２長方形Ｒ２が斜め４５°の方向に並んだ第２パターンとが交互に繰り返されたものである。
【００２８】
画像形成層１３は、所定の階調幅の濃度（“階調値”ともいう）で画像形成されている。本実施形態では、画像形成層１３に形成される画像は、無彩色であり、いわゆるグレースケールで表現されている。第１及び第２の絵柄Ｐ１、Ｐ２は、階調幅の最小階調値（最小濃度）と最大階調値（最大濃度）とを用いて描かれている。具体的には、第１の絵柄Ｐ１では、第１長方形Ｒ１が最小濃度で均一に塗り潰されており、第２長方形Ｒ２が最大濃度で均一に塗り潰されている。一方、第２の絵柄Ｐ２では、第１長方形Ｒ１が最大濃度で均一に塗り潰されており、第２長方形Ｒ２が最小濃度で均一に塗り潰されている。
【００２９】
第１及び第２の絵柄Ｐ１、Ｐ２のそれぞれにおいて、第１長方形Ｒ１と第２長方形Ｒ２との濃度を互いに反転させている。これは、実際のカーボン繊維の綾織パターンでは、縦方向（Ｙ方向）のカーボン繊維（第１長方形Ｒ１に対応）と横方向（Ｘ方向）のカーボン繊維（第２長方形Ｒ２に対応）による光の反射成分が異なり、濃度が異なるように観察されることを模したためである。
【００３０】
また、第１の絵柄Ｐ１と第２の絵柄Ｐ２とにおいて濃度を反転させている。具体的には、第１の絵柄Ｐ１で最小濃度である第１長方形Ｒ１は、第２の絵柄Ｐ２では最大濃度となっており、第１の絵柄Ｐ１で最大濃度である第２長方形Ｒ２は、第２の絵柄Ｐ２では最小濃度となっている。これは、実際のカーボン繊維の綾織パターンでは、観察方向によって濃度が反転し異なる絵柄に観察されることを模したためである。
【００３１】
また、グラデーション絵柄ＰＧは、最小階調値と最大階調値との間の階調値（中間濃度）で描かれている。具体的には、グラデーション絵柄ＰＧでは、第１長方形Ｒ１内と第２長方形Ｒ２内とでそれぞれ、濃度をＸ方向に段階的に変化させている。もし、第１長方形Ｒ１と第２長方形Ｒ２とを１つの濃度で塗り潰すと、すべて均一な濃度となり、綾織パターンの形状は現れない。第１長方形Ｒ１と第２長方形Ｒ２の濃度をＸ方向に段階的に変化させることにより、グラデーション絵柄ＰＧを、最小濃度と最大濃度との間の中間濃度とするとともに、綾織パターンを描くことができる。
【００３２】
図５は、画像形成層１３の第１長方形Ｒ１の一部の領域を示している。第１及び第２の絵柄Ｐ１、Ｐ２の関係と同様に、第１の細分化領域Ｓ１と第２の細分化領域Ｓ２とは、互いの濃度が反転している。符号Ｕ１〜Ｕ５は、Ｘ方向に並ぶ５つの単位領域Ｕを表している。
【００３３】
第１の細分化領域、中間領域、及び第２の細分化領域の長さ及びこれらの関係が限定されるものではないが、本実施形態では、Ｘ方向における第１の細分化領域Ｓ１、中間領域ＳＭ、及び第２の細分化領域Ｓ２の長さをそれぞれＷ１、ＷＭ、Ｗ２とした場合、ＷＭ＜Ｗ１、ＷＭ＜Ｗ２、Ｗ１＝Ｗ２の関係を満たすようにしている。具体的に、本実施形態では、「Ｗ１：ＷＭ：Ｗ２＝５：２：５」の関係としている。
【００３４】
図６（Ａ）〜（Ｅ）は、単位領域Ｕ１〜Ｕ５の階調値（濃度）を示すグラフである。同図では、最大階調値（最大濃度）をＧＨ、最小階調値（最小濃度）をＧＬとしている。中間領域ＳＭの濃度ＧＭは、最大濃度ＧＨと最小濃度ＧＬとの間であり、かつ、シリンドリカルレンズ１５の配列方向（Ｘ方向）に沿って段階的に変化している。
【００３５】
以上の構成により、装飾シート１０に対する観察方向をＸ方向に変化させると、観察される画像が第１の絵柄Ｐ１から第２の絵柄Ｐ２に切り替わる際、または、観察される画像が第２の絵柄Ｐ２から第１の絵柄Ｐ１に切り替わる際に、第１の絵柄Ｐ１と第２の絵柄Ｐ２との間の中間濃度により綾織パターンが描かれたグラデーション絵柄ＰＧが観察される。
【００３６】
以上のように、本発明の装飾シート１０では、観察方向を変えると、観察される画像が、互いに濃度が反転した第１の絵柄Ｐ１と第２の絵柄Ｐ２との間で切り替わり、模様の明暗が変化するように見えるので、立体感が得られる。これにより、装飾シート１０は、実物のカーボンファイバーシートと同等以上の質感が得られる。
【００３７】
特に、実物のカーボンファイバーシートでは、観察方向を変えた場合に、カーボン繊維の光反射成分が変化することにより模様の明暗が変化するので、光量が少ない環境下では、明暗の変化が生じにくいが、本発明の装飾シート１０では、光量が少ない環境下においても、レンチキュラレンズシート１１の機能により、第１及び第２の絵柄Ｐ１、Ｐ２が切り替わり、明暗の変化が明確に現れる。
【００３８】
また、本発明の装飾シート１０では、中間領域ＳＭの長さＷＭを調整することにより、実物のカーボンファイバーシートの場合の半分以下の視線移動（観察方向の変化）により、第１及び第２の絵柄Ｐ１、Ｐ２の切り替わりを生じさせることができる。
【００３９】
また、装飾シート１０は、帯状に細分化された第１及び第２の絵柄Ｐ１、Ｐ２に対応する第１及び第２の細分化領域Ｓ１，Ｓ２の間に中間領域ＳＭが形成されているため、観察者の観察方向が連続的に変化したときに、第１の絵柄Ｐ１と第２の絵柄Ｐ２との両方が同時に観察されることが防止され、画像間の分離が確実に行われる。もし、画像間の分離が十分ではない場合には、画像が切り替わる際に、薄い画像がゴーストとして観察されることがあるが、本発明の装飾シート１０では、このようなゴーストが観察されないことを可能にする。
【００４０】
また、装飾シート１０では、中間領域ＳＭの濃度を、第１及び第２の細分化領域Ｓ１，Ｓ２に用いられる最大濃度と最小濃度との間の中間濃度としているので、観察される画像が第１の絵柄Ｐ１と第２の絵柄Ｐ２との間で切り替わる際に、中間濃度の画像が観察されるので、画像が滑らかに切り替わる。これにより、装飾シート１０は、カーボンファイバーシートにより近い質感が得られる。
【００４１】
また、グラデーション絵柄ＰＧの第１長方形Ｒ１内と第２長方形Ｒ２内においてそれぞれ、中間領域ＳＭの濃度をＸ方向に段階的に変化させているので、中間濃度により綾織パターンが描かれる。これにより、観察される画像が第１の絵柄Ｐ１と第２の絵柄Ｐ２との間で切り替わる間においても、中間濃度により表現された綾織パターンが観察され、装飾シート１０は、カーボンファイバーシートにさらに近く自然な質感が得られる。
【００４２】
さらに、Ｘ方向における中間領域ＳＭの長さＷＭが、第１の細分化領域Ｓ１の長さＷ１、及び第２の細分化領域Ｓ２の長さＷ２よりも短いため、グラデーション絵柄ＰＧが観察される角度範囲は、直交方向ＤＶの近傍のみである。このため、観察者の観察方向が連続的に変化したときに、グラデーション絵柄ＰＧが観察される時間が短いので、第１の絵柄Ｐ１と第２の絵柄Ｐ２とは、自然でかつ短時間に切り替わる。
【００４３】
なお、上記第１実施形態では、第１の絵柄Ｐ１、第２の絵柄Ｐ２、及びグラデーション絵柄ＰＧを、綾織パターンとしているが、本発明はこれに限定するものではなく、例えば、図７（Ａ）〜（Ｃ）に示す変形例のように平織パターンとしても良い。平織とは、カーボン繊維の縦方向の列と横方向の列とを、交互に交差させる織り方である。すなわち、平織パターンは、第１実施形態の綾織パターンにより形成される第１長方形Ｒ１及び第２長方形Ｒ２（図３参照）を、それぞれほぼ正方形としたものに相当する。
【００４４】
したがって、図７（Ａ）〜（Ｃ）に示す変形例では、第１の絵柄Ｐ１、第２の絵柄Ｐ２、及びグラデーション絵柄ＰＧは、いずれも、第１正方形Ｔ１と第２正方形Ｔ２とが、それぞれ千鳥配置されたものとなる。第１正方形Ｔ１及び第２正方形Ｔ２の濃度は、第１実施形態の第１長方形Ｒ１及び第２長方形Ｒ２の濃度と同様である。
【００４５】
なお、第１の絵柄Ｐ１、第２の絵柄Ｐ２、及びグラデーション絵柄ＰＧは、上記第１実施形態で例示した第１長方形Ｒ１と第２長方形Ｒ２とが組み合わせられたもの、変形例で上げた第１正方形Ｔ１と第２正方形Ｔ２とが組み合わせられたものに限らず、四角形を組み合わせたパターンであればよい。また、上記第１実施形態及び変形例では、第１の絵柄Ｐ１、第２の絵柄Ｐ２、及びグラデーション絵柄ＰＧは、無彩色の画像としているが、有彩色の画像としてもよい。
【００４６】
上記第１実施形態及び変形例では、画像形成層１３を画像形成媒体１２に形成したうえで、画像形成媒体１２をレンチキュラレンズシート１１の平坦面１１Ａに接合しているが、画像形成媒体１２を用いずに、レンチキュラレンズシート１１の平坦面１１Ａに直接画像形成層１３を形成しても良い。
【００４７】
以下、本発明の装飾シートの使用形態について説明する。図８は、第１実施形態の装飾シート１０を、自動車２１の内装品に貼り付けた例を示している。装飾シート１０は、画像形成媒体１２側が内装品に接触するように貼り付けられる。
【００４８】
装飾シート１０は、例えば、自動車２１のステアリングホイール２２、ドアパネル２３、ダッシュボード２４などに貼り付けられる。装飾シート１０は、可撓性を有するので、貼り付け箇所の曲面に合わせて湾曲させた状態で貼り付けられている。例えば、図８に示す例では、ダッシュボード２４の表面が曲面であり、この曲面形状に合わせて装飾シート１０を湾曲させている。図９に示すように、装飾シート１０は、レンチキュラレンズシート１１と画像形成層１３とが一体になって湾曲する。
【００４９】
［第２実施形態］
図１０は、第１実施形態の装飾シート１０をランプシェードとして用いた照明装置３１を示す。照明装置３１は、装飾シート１０、台座３２、複数の光源３３、各光源３３の発光を制御する発光制御部（図示せず）を備える。
【００５０】
装飾シート１０は、シリンドリカルレンズ１５の凸形状１５Ａを外周面側にして円筒状に湾曲されている。湾曲方向は、シリンドリカルレンズ１５の長手方向（Ｙ方向）と直交する方向である。装飾シート１０は、台座３２に支持されている。
【００５１】
各光源３３は、例えば、ＬＥＤ（Light Emitting Diode）からなり、図示しない支柱に支持されている。各光源３３は、円筒状の装飾シート１０の内部空間に、シリンドリカルレンズ１５の長手方向と平行に、所定の間隔を置いて配されている。
【００５２】
また、本実施形態では、画像形成層１３は、レンチキュラレンズシート１１の平坦面１１Ａに直接形成し、画像形成層１３の材料として光透過性を有する材料を用いることが好ましい。あるいは、画像形成媒体１２として透明樹脂シートを使用し、この透明樹脂シートに、光透過性を有する材料で画像形成層１３を形成することが好ましい。
【００５３】
これにより、各光源３３から発光された光は、装飾シート１０を通過する際に、シリンドリカルレンズ１５の配列方向（装飾シート１０の湾曲方向）に拡散してリング状の光となる。照明装置３１では、各光源３３から装飾シート１０を介してリング状の光が発せられるので、装飾性の高い照明光が得られる。
【００５４】
上記各実施形態では、自動車の内装品及び外装品、照明装置などに、本発明の装飾シートを適用する例を上げているが、これらに限定されず、スマートフォン、タブレットなどの電化製品や、家具などの物品に適用することも可能である。
【符号の説明】
【００５５】
１０  装飾シート
１１  レンチキュラレンズシート
１２  画像形成媒体
１３  画像形成層
１５  シリンドリカルレンズ
１５Ａ  凸形状
Ｐ１  第１の絵柄
Ｐ２  第２の絵柄
ＰＧ  グラデーション絵柄
Ｓ１  第１の細分化領域
Ｓ２  第２の細分化領域
ＳＭ  中間領域
２１  自動車
３１  照明装置
【図１】
2016174917.tif 000003
【図２】
2016174917.tif 000004
【図３】
2016174917.tif 000005
【図４】
2016174917.tif 000006
【図５】
2016174917.tif 000007
【図６】
2016174917.tif 000008
【図７】
2016174917.tif 000009
【図８】
2016174917.tif 000010
【図９】
2016174917.tif 000011
【図１０】
2016174917.tif 000012
【国際調査報告】
2016174917.tif 000013
2016174917.tif 000014
2016174917.tif 000015
2016174917.tif 000016